(57)【要約】      （修正有）【課題】スノードーム内の景観を簡単な操作で変えることが出来、且つ明かりの無い薄暗い状況下においても楽しむことが出来て、構成が比較的に簡単なスノードームを提供する。【解決手段】ドーム１内底部に固定された展示物４とドーム内の液体３中にアルミナ系酸化物蓄光材が混入された粒子状浮遊物から構成され、また、ドーム外底部にバッテリー、スイッチ及びタイマーが内蔵されたコントロール装置を設け、ドーム内底部に固定された展示物内に光源としてＬＥＤや電子オルゴールを備えてドームを逆さまにした場合にＬＥＤや電子オルゴールのスイッチが入りタイマーにより切れる構造とする。【選択図】図４
0003190185.tif 000002
【実用新案登録請求の範囲】
【請求項１】
スノードーム内の展示物及び浮遊物、又は浮遊物のみに蓄光材を使用することを特徴とするスノードーム。
【請求項２】
前記記載の蓄光材としては高温焼成したアルミナ系酸化物を使用することを特徴とする請求項１記載のスノードーム。
【請求項３】
スノードーム内の展示物内に光源としてＬＥＤを備え、スノードームを逆さまにした場合にＬＥＤ光を点滅させ、一定時間経つと電源が切れることを特徴とする請求項１乃至２記載のスノードーム。
【請求項４】
スノードームの防液底板内に電子オルゴールを設け、逆さまにした場合にその電源が入り、一定時間経つと電源が切れることを特徴とする請求項１乃至３記載のスノードーム。
【請求項５】
展示物の内部に設けたマグネットを上下、又は左右に移動させることにより鉄粉入り浮遊物の展示物表面への付着を加減して、異なる景観を作り出すことを特徴とする請求項１乃至４記載スノードーム。
【請求項６】
展示物と防液底板とを一体構造として成型加工にて製作することを特徴とする請求項１乃至５記載のスノードーム。
【考案の詳細な説明】
【技術分野】
【０００１】
スノードームは密閉された透明なガラスもしくはプラスチック製半球ドーム内の底板に展示物が固定されており、内部には透明液体と比重がそれより若干重い雪等に見立てた浮遊物が封入されている。  スノードームを手に取り、一旦逆さにした後に正立させると封入された浮遊物が液体と混じり合い、ドーム内に雪が降ったかの様に舞落ちる様を楽しむ玩具又はインテリア用品で、旅行先のお土産の定番となっている。本考案は従来のスノードームに無かった魅力的な創意工夫に関するものである。
【背景技術】
【０００２】
従来のスノードームでは浮遊物は白色粒子が用いられていた。また、ブラックライトの紫外線を用いて、予めこれにより蛍光色を発するようにした浮遊物や展示物を暗闇で浮かび上がらせる提案がなされている(特許文献１)。さらに、従来のスノードームは防液底板に展示物を接着させて製作されているものが一般的であった。
【０００３】
従来のスノードームでは浮遊物に鉄粉を含ませ、マグネットにて展示物への浮遊物の付着を操作し、景観を変化させるものは無かった。
【０００４】
従来のスノードームでは展示物内に光源としてＬＥＤを備え、展示物から光を放つものは無かった。
【０００５】
従来のスノードームは十分な明かりの元で操作され、薄暗い状況下では楽しむことが出来なかった。
【０００６】
展示装置内に光源を設け該容器内の浮遊物及び展示物を照明可能にする提案がなされている(特許文献１)。
【先行技術文献】
【特許文献】
【０００７】
【特許文献１】特許公開２０１２−１１８４８２
【考案の概要】
【考案が解決しようとする課題】
【０００８】
従来のスノードームの浮遊物は白色粒子が用いられているが雪の様な輝きが無くリアルさに欠け、薄暗い状況下では目視出来ず楽しむことが出来なかった。
【０００９】
特許文献１に記載の蛍光色を発する浮遊物や展示物を発光させるためには予め展示装置内に設けたブラックライト光源からの長波長の紫外線を放射する必要があり、装置が複雑で大型化し、製造コストが高くなる欠点があった。
【００１０】
又、特許文献１に記載の浮遊物及び展示物を照明可能にする提案がなされているが光源を容器の外部（側面）に設けて、外部から展示物と浮遊物を照らす方式である。
【００１１】
従来は防液底板に展示物を接着させて製作していたために工数が掛り、且つ接着不良により展示物内の空気が漏れ、透明液体に混入する障害があった。
【課題を解決するための手段】
【００１２】
スノードーム内の展示物（４）及び浮遊物（７）に光の吸収と発光を何度でも半永久的に繰り返す特性のある高温焼成したアルミナ系酸化物の蓄光材を用いた。
【００１３】
点灯展示物（６）内に光源としてＬＥＤ（１０）を埋め込み、スノードームを逆さまにすると点灯し、タイマーにて点滅及び消灯させる。
【００１４】
防液底板（２）内に電子オルゴールを設け、スノードームを逆さまにすると電源が入りメロディを奏で、タイマーにて停止させる。
【００１５】
展示物（４）内にマグネット（１３）を設け、これを外部から操作することにより鉄粉入り蓄光浮遊物（８）を展示物（４）の表面に付着させる。
【００１６】
展示物（４）と防液底板（２）とを一体構造とした展示物一体防液底板（５）とした。
【考案の効果】
【００１７】
本考案の展示物及び浮遊物に用いる蓄光材は電源を必要とせず、一般的な屋内照明並びに窓明かり等からの光を吸収・蓄えて周囲が暗くなると自然発光することを何度でも繰り返すことが出来る。
【００１８】
本考案の展示物及び浮遊物に蓄光材を用いた場合には、むしろ薄暗い状況下において操作した方が展示物及び浮遊物が自然発光しており、恰も月光に照らされた雪が降り注ぐ様なロマンチックな景観を呈する。
【００１９】
点灯展示物（例えば灯台）内のＬＥＤ光源の発光を点滅させることにより展示物のリアルさを増し、薄暗い状況下において操作した方がよりロマンチックな景観を呈する。
【００２０】
展示物の内部に設けたマグネットを上下、又は左右に移動させることにより鉄粉入り浮遊物の展示物表面への付着を加減して、従来品では成しえなかった異なる景観を作り出す。
【００２１】
本考案は製作数量が多い場合には展示物と防液底板とを一体構造として成型加工することにより、部品点数を減らし、多量生産が可能となり、製作コストを大幅に下げるのみならず展示物内の空気漏れ障害の恐れが無く、品質が向上する。
【００２２】
電子オルゴール機能を付加し、その販売地域にマッチしたメロディを奏でることにより旅の想い出を付加させることが出来る。
【図面の簡単な説明】
【００２３】
【図１】（a）は従来の代表的スノードームの断面図である。（b）は本考案の実施例１の断面図である。
【図２】本考案の実施例２の側面図（１部断面）である。
【図３】本考案の実施例３の断面図である。
【図４】（a）は本考案の実施例４の断面図でマグネット（１３）が下部に位置する。(ｂ)は本考案の実施例４の断面図でマグネット（１３）が上部に位置する。(ｃ) はマグネット（１３）が(a)位置での鉄粉入り蓄光浮遊物（８）の堆積状況を示す側面図（１部断面）である。(ｄ)はマグネット（１３）が（b）位置での鉄粉入り蓄光浮遊物（８）の展示物への付着状況を示す側面図（１部断面）である。
【考案を実施するための形態】
【００２４】
本考案の様々な形態について図面に示す実施例に基づいて具体的に説明する。
【実施例１】
【００２５】
図１（ｂ）は、本考案の実施例１の断面図であって、展示物（４）と防液底板（２）とが一体構造となっている。
【実施例２】
【００２６】
図２は、本考案の実施例２の側面図（１部断面）である、スノードーム内の展示物の頂部に蓄光塗料（９）を塗り、蓄光浮遊物（７）と透明液体（３）が封入されている。  
【実施例３】
【００２７】
図３は本考案の実地例３の断面図である、スノードーム内の点灯展示物（６）（本例では灯台）の上部内に光源としてＬＥＤ（１０）を備え、コントロール装置（１２）をスノードーム底部に設け、透明液体（３）と蓄光浮遊物（７）がドーム内に封入されている。
【００２８】
コントロール装置（１２）にはＬＥＤ（１０）及び電子オルゴールの電源であるバッテリー、スノードームを逆さまにした場合にＬＥＤ、電子オルゴールへの電源を通電させるスイッチ、一定時間経つと通電が切断される定時切断タイマーと断続タイマーとが備えられている。
【００２９】
断続タイマーはＬＥＤ（１０）へ通電されている間に点滅を繰り返して灯台の発光に類似した光を放つ。
【実施例４】
【００３０】
図４（a）は本考案の実施例４の断面図であって、展示物（４）の内部に挿入されたマグネット（１３）を上下に動かすことにより展示物の表面を磁化させる工夫がなされており、鉄粉入り蓄光浮遊物（８）と透明液体（３）が透明半球ドーム（１）内に封入されている。
【００３１】
マグネット（１３）を展示物（４）の下部に位置させた断面図で、この状態でスノードームを一旦逆さにした後に正立させると鉄粉入り蓄光浮遊物（８）はマグネット（１３）の磁力を受けることなくドーム底部に舞落ち堆積し、図4（c）の景観を呈する（本例では夏の富士山となる）。
【００３２】
図４(b)はマグネット（１３）を展示物（４）の頂部に位置させた断面図である、この状態でスノードームを一旦逆さにした後に正立させると舞落ちる鉄粉入り蓄光浮遊物（８）が磁化された展示物表面に引き付けられ付着し、図４（d）の景観を呈する（本例では冬の富士山となる）。
【符号の説明】
【００３３】
１    透明半球ドーム
２    防液底板
３    透明液体
４    展示物
５    展示物一体防液底板
６    点灯展示物
７    浮遊物
８    鉄粉入り蓄光浮遊物
９     蓄光塗料
１０   ＬＥＤ
１１   ケーブル
１２   コントロール装置
１３  マグネット
１４  上下スライド軸
１５  ストッパー
１６  上下スライドツマミ
【図１】
0003190185.tif 000003
【図２】
0003190185.tif 000004
【図３】
0003190185.tif 000005
【図４】
0003190185.tif 000006
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
ドーム内底部に固定された展示物とドーム内の液体中にアルミナ系酸化物蓄光材が混入された粒子状浮遊物から構成されることを特徴とするスノードーム。
【請求項２】
ドーム外底部にバッテリー、スイッチ及びタイマーが内蔵されたコントロール装置を設け、ドーム内底部に固定された展示物内に光源としてＬＥＤを備えてドームを逆さまにした場合にＬＥＤのスイッチが入りタイマーにより切れることを特徴とする請求項１記載のスノードーム。
【請求項３】
ドーム外底部にバッテリー、スイッチ及びタイマーが内蔵されたコントロール装置を設
け、ドーム外底部に内蔵された電子オルゴールのスイッチがドームを逆さまにした場
合に入りタイマーにより切れることを特徴とする請求項１又は請求項２記載のスノード
ーム。
【請求項４】
ドーム底の外部から可動させることが出来るマグネットを内蔵するドーム内底部に固
定された展示物と鉄粉が混入された粒子状浮遊物及びドーム内の液体から構成され
ることを特徴とする請求項１又は請求項３記載のスノードーム。